(57)【要約】      （修正有）【課題】地震等の影響で、直管型のＬＥＤ蛍光灯が蛍光灯器具からはずれて落下するのを防止し、通行人や作業員等の怪我を未然に防止し、盗難予防策を講じる。さらに、自体を熱伝導性が高い素材とすることで、放熱率を高め、ＬＥＤ球の寿命低下の課題を解決するためのＬＥＤ蛍光灯管放熱落下防止具を提供する。【解決手段】ＬＥＤ蛍光灯管落下防止具は、直管型ＬＥＤ蛍光灯の設置器具天井部のいづれか任意の場所において、固定部を熱伝導性の高い粘着性素材もしくは磁石により構成される接合部剤を介して接続をし、もしくは、設置器具側と設置器具カバー部との接続方式をビス等を用いて接続をすることで、容易に取り外しができない構成とし、直管型ＬＥＤ蛍光灯を点灯させることで発生された熱を設置器具天井部へ逃がす構成として、万が一、直管型ＬＥＤ蛍光灯が取付器具から外れてしまった場合においても、支えとなることで、落下を防止させることができる。【選択図】図１
2011028971.tif 000002
【特許請求の範囲】
【請求項１】
熱伝導性が高く強度のある素材にて構成された本発明品は、その一端をＬＥＤ照明取付器具側と強力な固定が可能でかつ熱伝導性がある粘着性素材もしくは磁石、ビス等による接続を用いた取付器具側の接合部と、反対側の一端は、ＬＥＤ照明本体の放熱部を含めた部分を覆うような構成もしくは、ビスや熱伝導性がある粘着性素材や磁石等により強力に固定できるＬＥＤ照明本体側接合部からなり、ＬＥＤ照明取付器具側および、ＬＥＤ照明本体側のいづれか任意の場所に取付が可能なＬＥＤ蛍光灯管放熱落下防止具。
【請求項２】
請求項１のＬＥＤ蛍光灯管放熱落下防止具において、ＬＥＤ照明取付器具側とＬＥＤ照明本体側との距離が、各種ＬＥＤ照明取付器具の仕様により異なる場合において、本発明品の長さを自由に調整できるための「たわみ」を持たせることを特徴としたＬＥＤ蛍光灯管放熱落下防止具。
【請求項３】
請求項１又は２のＬＥＤ蛍光灯管放熱落下防止具において、本発明品素材の全部もしくは一部に光反射（乱反射）性の高い加工処理を施すことを特徴としたＬＥＤ蛍光灯管放熱落下防止具。
【請求項４】
請求項１又は２のＬＥＤ蛍光灯管放熱落下防止具において、本発明品素材の全部もしくは一部を光拡散（光透過）性の素材を用いて、ＬＥＤ照明本体の点灯部側を本発明品で覆う際に、ＬＥＤ球が持つ光直進性を拡散させることができるＬＥＤ蛍光灯管放熱落下防止具。
【発明の詳細な説明】
【技術分野】
【０００１】
本発明は、近年、省エネ対策のひとつとして注目されているＬＥＤ蛍光灯（ＬＥＤ照明）および、その取付器具に関する分野である。
ＬＥＤ蛍光灯照明とは、ＬＥＤ（発光ダイオード）球を複数個実装した一連の光源ユニットに、放熱処理を施し、発光部側には光透過性のあるカバーで覆い、本体の左右側面部には、従来の直管タイプの蛍光灯と同じような接続ユニットを有し、ＡＣ電源からＤＣ電源への変換機能を持った一連の照明器具の中から、当該発明品については、円形タイプの蛍光灯形状を除いた直管タイプの製品を言う。
【背景技術】
【０００２】
従来の蛍光灯照明器具とは、一般的な電球型照明器具とは異なり、取付器具本体と照明本体との接合において、螺旋形状等を用いていない両端の差込方式が知られている。
【０００３】
螺旋形状での接合は差込方式での接合に比べ、取付器具との接合が強力であることから、照明本体が落下する確率が低いことと、直管タイプの蛍光灯の場合には、その照明本体の長さがあることから、照明本体の重量も大きく、万が一、落下した場合には、事故や怪我の原因にもなっている。
【０００４】
近年は、ＣＯ２の排出削減の観点から、従来の蛍光灯ランプに比べ、消費電力が少ないＬＥＤ球を用いた照明器具が登場した。
このＬＥＤ照明器具には、電球型、蛍光灯型といったように、既存の取付器具本体に設置させることができるように、その形状や接合部の構成も合わせて開発されている。
【０００５】
ＬＥＤ照明器具は、従来の白熱電球や蛍光灯に比べて消費電力が少ないことが特長ではあるが、一方、ＬＥＤ球が持つ光の直進性は、照明器具という目的においては、その周囲全体を均一に明るくするという点でデメリットであったことから、広角タイプのＬＥＤ球が、これらの照明用途でのＬＥＤ球として多く採用されているのが現状である。
【０００６】
しかしながら、従来の蛍光灯照明と比べ、広角タイプのＬＥＤ球を用いた場合でも、ＬＥＤタイプの照明器具は、その光源（ＬＥＤ球）部分が明るく、照明器具本体が均一に明るい訳では無い。
このため、最近では、ＬＥＤ照明器具の周りに、光拡散性のあるカバー等を設けることで、従来の蛍光灯照明に近い光拡散を実現させる製品も開発された。
【０００７】
次に、ＬＥＤ球の弱点としては、熱に弱い点にある。各社が開発したＬＥＤ球は、その温度によりＬＥＤ球の寿命が異なることが知られており、ＬＥＤの寿命を長くさせることは、製品の寿命を長くさせることに繋がる訳で、その為には、放熱処理は重要な課題として各社研究に励んでいる。
【０００８】
ＬＥＤ蛍光灯（ＬＥＤ照明）器具においても、この放熱ユニットをいかに構成するのかは、製品自体の良し悪しを決めるテーマとなる訳であるが、放熱システムとは、ＬＥＤ自体が発熱する熱処理と、外気温による環境の双方が、ＬＥＤ寿命に関係してしまう訳であるが、外気温は、自然環境であるため、ある程度の適応環境で使用できないと、製品自体が受入られない理由から、いかにＬＥＤ自体が発する熱を放熱させるかが重要である。
【０００９】
ＬＥＤ自体が発する熱の放熱処理において、一般的に熱伝導率が高い物質に熱を逃がす方法が知られているが、これらの物質は、金属を中心とした比重の高いものが多い。この為、金属で構成された放熱ユニットを用いて、ＬＥＤ照明を製作した場合、製品自体の重量が増すこととなる。
【００１０】
一方、照明器具は、通常、天井等の高い位置に設置されることから、仮に、このような重い製品が何らかの影響で落下した場合、人に直撃してしまったり、物を壊してしまったりと、被害が出てしまう可能性がある。そのため、ＬＥＤ照明自体の重量を極力少なく抑える工夫も必要とされている。故に、放熱ユニットを軽くすることは、比重の少ない物質で、熱伝導率が高い物質を用いて、コンパクト化させる必要がある訳だが、製品自体のコストも関係することから、各社苦労をしている。
【００１１】
このような背景から、従来の蛍光灯の落下を防止させる方法として、「棒状蛍光灯管落下防止具」実用新案公開平７−７０１１や、「直管蛍光灯ソケツト」実用新案公開平５−１５３７９、「照明装置」登録実用新案第３１３８６８２号のような、発明や考案技術を用いることで、照明機器本体の落下を防止させるような出願もなされているが、これらの技術は、単に取付器具の落下を防止する為の方法であり、照明器具自体の放熱を促すものでは無い。
【００１２】
また、当然ながら、これらの技術等を施さないで取付られた従来の蛍光灯器具においては、実際に落下してしまったことで、人に怪我を負わせてしまったケースも多く存在している。
一例を挙げると、平成２１年２月２１日に発生したＪＲ西日本の湖西線「マキノ駅付近」において、「当該電車がマキノ駅付近を走行中、蛍光灯が落下してきたと駅係員に申告され、床面に蛍光灯が割れた状態で落ちているのを確認し、お客様（お一人）、手などに軽い切り傷を負われています。」との情報がある。
当該情報に際しては、ＪＲ西日本様のホームページ上に掲載されていた内容であり、本発明者並びに、出願人は、同社について何ら誹謗・中傷等を目的とするものではありません。本発明の背景技術を説明するに際して、一般公開されている情報から実例を参照した次第です。
【発明の開示】
【発明が解決しようとする課題】
【００１３】
本発明の背景技術において説明をした技術等は、従来の蛍光灯照明等の落下を防止させるための技術でしか無く、近年製品化されているＬＥＤ蛍光灯照明が抱える放熱処理については、製品自体に課せられた従来の蛍光灯照明に近い形状を維持させる為の課題でもある効率の良い放熱処理と製品落下による事故等の被害を防止させるという課題を同時に解決させることが求められる。
また、ＬＥＤ蛍光灯器具自体が長寿命であることと、１本のＬＥＤ蛍光灯で多数のＬＥＤを用いていることから、従来の蛍光灯器具と比べ高額となり、結果として、設置された場所から盗難に遭ってしまう可能性も否定できない。
【課題を解決するための手段】
【００１４】
このような課題を解決するために、本発明は、直管型ＬＥＤ蛍光灯の設置器具天井部のいづれか任意の場所において、本発明品の固定部を熱伝導性の高い粘着性素材もしくは磁石やビス等による固定方法により構成される接合部剤を介して接続をし、一方、本発明品の直管型ＬＥＤ蛍光灯カバー部は、直管型ＬＥＤ蛍光灯を覆うように固定させたり（直管型ＬＥＤ蛍光灯の放熱部に接合された）、放熱部にビス等や磁石を用いて接続させて、直管型ＬＥＤ蛍光灯を点灯させることで発生された熱を本発明品を経由して、設置器具天井部へ逃がす構成とし、同時に万が一、直管型ＬＥＤ蛍光灯が取付器具から外れてしまった場合においても、本発明品が支えとなることで、落下を防止させることができる。さらには、盗難防止として、容易に取り外すことができない構成とさせることで、予防策を講ずることもできる。
【発明の効果】
【００１５】
本発明品を導入することで、様々な場所において、多種多様なデザインや仕様で構成されたＬＥＤ蛍光灯照明が抱える放熱ユニットを有する重量に関する問題においての落下防止措置や盗難予防策を講ずることができ、さらに、ＬＥＤ蛍光灯照明自体の放熱効果を補助させることができる為、ＬＥＤ球自体の寿命を延ばすことも可能となる。
【発明を実施するための最良の形態】
【００１６】
以下、本発明品を、各図を参照しながら説明をする。
【００１７】
図１は、本発明品の取付例斜視図である。
本図は、従来より多く普及している直管タイプの蛍光灯照明用の取付器具と本発明品との接続を例にして説明を行う。
一般的に、既存のオフィスや施設の天井部分には、直管タイプの蛍光灯照明器具が既に取り付けられていると仮定をし、本照明取付器具へＬＥＤ蛍光灯照明を交換をした場合には、図１のように、２．照明取付器具の接続コネクター部へ、５．ＬＥＤ蛍光灯の接続コネクター部を差し込むだけで、従来の蛍光灯照明からＬＥＤ蛍光灯照明へ交換することができる。
【００１８】
このようにして、取り付けられたＬＥＤ蛍光灯照明は、ＬＥＤ球が持つ熱に弱い特性から、放熱を目的とした、３．ＬＥＤ蛍光灯の放熱ユニットを有した形状の製品が多く見られる。即ち、ＬＥＤ蛍光灯照明自体の重量が、従来の直管タイプの蛍光灯照明に比べて重い。しかし、既存の蛍光灯照明器具は変わらないことから、左右に設けられた２．照明取付器具の接続コネクター部は、ＬＥＤ蛍光灯照明の重さが影響をしたり、地震や何らかの振動等が起因をして、５．ＬＥＤ蛍光灯の接続コネクター部が外れて、ＬＥＤ蛍光灯照明が落下してしまうような事態や、第三者が故意にＬＥＤ蛍光灯照明器具を持ち出すような事態も想定できる。
【００１９】
このような事態も考慮して発明された本発明品は、万が一の落下や盗難事故を想定して、６．本発明品の左端取付部と、７．本発明品の右端取付部の左右に取付を行い、ＬＥＤ蛍光灯照明が外れてしまった場合にも落下を防ぐことができるような固定や、ビス等での接合にて盗難防止を行う。
【００２０】
さて、本発明品は、１．照明取付器具の本体カバー部と強力な粘着性素材もしくは、１．照明取付器具の本体カバー部の素材が鉄などの素材であった場合には、強力な磁石等を介して接合またはビス等での接合され、反対側は、３．ＬＥＤ蛍光灯の放熱ユニット及び、４．ＬＥＤ蛍光灯の光源部にバンドによる固定をするような方式にて接合されている。
当該固定に際しては、３．ＬＥＤ蛍光灯の放熱ユニットの部分に、磁石やビス、強力な粘着素材を持って固定されても良い。但し、１．照明取付器具の本体カバー部や、３．ＬＥＤ蛍光灯の放熱ユニットの部分に接合される粘着素材とは、ＬＥＤ蛍光灯照明の重さに耐えられる強度と、熱伝導性が高い素材を用いる必要がある。
【００２１】
次に、図２の本発明品の取付例側面図を参照されたい。
この図から、８．天井部と、９．照明取付器具は予め設置されたものを利用することから、ＬＥＤ蛍光灯照明本体は、９．照明取付器具に直接取付が可能な製品であることが前提である。
ここで、注意が必要なことは、９．照明取付器具には、各社様々なデザインや形状があることから、１０．ＬＥＤ蛍光灯本体との距離が様々である。
即ち、１１．本発明品は、様々な距離が必要な９．照明取付器具においても設置が可能な形状であることが求められる。
併せて、１１．本発明品は、１０．ＬＥＤ蛍光灯本体の放熱ユニット部と接続されていることも再度確認して欲しい。
【００２２】
また、１１．本発明品は、９．照明取付器具及び、１０．ＬＥＤ蛍光灯本体のどの部分に取付を行っても良いが、図１のように、４．ＬＥＤ蛍光灯の光源部を覆う取付方法をする場合には、１１．本発明品のバンド部分の幅が大きく、しかも光を遮断してしまう素材にて構成されている場合には、照明器具としての明るさが減少してしまう為、注意が必要となる。
しかし、素材自体が熱伝導性があり、光の透過性がある場合には、４．ＬＥＤ蛍光灯の光源部を覆うこともできる。
【００２３】
次に、本発明品の各部の詳細をご説明する図３．本発明品の構成図を参照されたい。
はじめに、１２．本発明品の照明取付器具側接続部には、予め熱伝導性のある粘着素材が取付られており、ＬＥＤ蛍光灯本体の放熱ユニットからの熱を吸収し、外部へ放出したり、図１の１．照明取付器具の本体カバー部との接続により、さらに、１．照明取付器具の本体カバー部の素材が金属等で構成され熱伝導性を有している場合には、更なる放熱効果が期待できる。
また、このように１．照明取付器具の本体カバー部の素材が金属等で構成されている場合には、磁石やビス等での接合を行うこともできる。
【００２４】
１３．本発明品の先端部、１４．本発明品の中央部、１５．本発明品のＬＥＤ蛍光灯接続部のいづれも熱伝導性を有した素材にて構成されなくてはならない。特に、１５．本発明品のＬＥＤ蛍光灯接続部については、図１の３．ＬＥＤ蛍光灯の放熱ユニットと接合を行う為、熱伝導性が優れた素材であることが望ましい。
【００２５】
一方、図１の４．ＬＥＤ蛍光灯の光源部側を１５．本発明品のＬＥＤ蛍光灯接続部が覆う方法での接合を行う場合には、ＬＥＤ蛍光灯照明自体の照度を低下させないように、幅を短くさせたり、光透過性がある素材を用いる等の工夫が必要となる。
【００２６】
次に、１４．本発明品の中央部は、先にご説明した図２の９．照明取付器具との距離が様々であることから、容易に長さを調整できるように蛇腹折や、たわみを持たせる等の工夫をする必要がある。
【産業上の利用可能性】
【００２７】
本発明品を導入することで、ＬＥＤ蛍光灯照明が抱える放熱処理問題と、既存の蛍光灯取付器具との接続を可能としたＬＥＤ蛍光灯照明の重さから、万が一の落下を想定した防止策、そして万が一の盗難事故防止策を講ずることが期待される。
【図面の簡単な説明】
【００２８】
【図１】本発明品の取付例斜視図である。
【図２】本発明品の取付例側面図である。
【図３】本発明品の構成図である。
【符号の説明】
【００２９】
１    照明取付器具の本体カバー部
２    照明取付器具の接続コネクター部
３    ＬＥＤ蛍光灯の放熱ユニット
４    ＬＥＤ蛍光灯の光源部
５    ＬＥＤ蛍光灯の接続コネクター部
６    本発明品の左端取付部
７    本発明品の右端取付部
８    天井部
９    照明取付器具
１０  ＬＥＤ蛍光灯本体
１１  本発明
１２  本発明品の照明取付器具側接続部
１３  本発明品の先端部
１４  本発明品の中央部
１５  本発明品のＬＥＤ蛍光灯接続部
【図１】
2011028971.tif 000003
【図２】
2011028971.tif 000004
【図３】
2011028971.tif 000005